(57)【要約】【課題】仕切り板面の残菜が良く掃除できる食器洗い機を提供することを目的とする。【解決手段】洗浄槽内に洗浄液あるいはすすぎ液を噴射する回転自在なるノズルアームと、ノズルアームの中央部に回転自在に内置されている洗浄ポンプとを有する食器洗い機において、ノズルアームの回転方向と同じ方向に、洗浄液あるいはすすぎ液を噴射する噴射孔をノズルアームの下面に設けたことを特徴とする。【選択図】　図１
2004073261.tif 000002
【特許請求の範囲】
【請求項１】
システムキッチンユニットの空間内に組み込み収納される食器洗い機本体と、該食器洗い機本体に設けられ、かつ食器を収納する洗浄槽と、該洗浄槽内に備えられ、かつ前記食器が載置される食器棚と、前記洗浄槽の下部に設けられる水溜部と、前記洗浄槽の下側に設けられ、前記洗浄槽内に洗浄液あるいはすすぎ液を噴射する回転自在なるノズルアームと、前記ノズルアームの中央部に回転自在に内置されている洗浄ポンプとを有する食器洗い機において、
前記ノズルアームの回転方向と同じ方向に、洗浄液あるいはすすぎ液を噴射する噴射孔をノズルアームの下面に設けたことを特徴とする食器洗い機。
【請求項２】
システムキッチンユニットの空間内に組み込み収納される食器洗い機本体と、該食器洗い機本体に設けられ、かつ食器を収納する洗浄槽と、該洗浄槽内に備えられ、かつ前記食器が載置される食器棚と、前記洗浄槽の下側に設けられる水溜部と、前記洗浄槽の下側に設けられ、前記洗浄槽内に噴射する回転自在なるノズルアームと、前記ノズルアームの中央部に回転自在に内置されている洗浄ポンプを有する食器洗い機において、
前記ノズルアームの回転方向に向って、斜め下向に洗浄液あるいはすすぎ液を噴射する噴射孔をノズルアームの下面に設けたことを特徴とする食器洗い機。
【請求項３】
請求項１に記載したものにおいて、
前記ノズルアームの下面に設けた前記噴射孔からの噴射水を噴き付ける仕切り板を該ノズルの下方に設けたことを特徴とする食器洗い機。
【請求項４】
請求項３において、
前記ノズルアームの下面に設けた前記噴射孔をノズルアームの中心から先端側に向かって並ぶように複数個配設し、前記噴射孔の配設範囲が少なくともノズルアームの長さの半分を占めることを特徴とする食器洗い機。
【請求項５】
請求項２において、
前記ノズルアームの下面に傾斜をつけた凹部をノズルアームの長手方向の沿って複数個配設し、前記凹部に前記噴射孔を設け、前記傾斜に沿って洗浄液あるいはすすぎ液を噴射させることを特徴とする食器洗い機。
【請求項６】
請求項１において、
前記ノズルアームの先端下面には、ノズルアーム上下溶着による変形及び洗いサイクル時の高温水による変形で先端側が下向きに撓む撓み量に見合う傾斜部を設け、アームノズルの下に配設した仕切り板に前記ノズルアームの先端下面が接触しない構造としたことを特徴とする食器洗い機。
【請求項７】
システムキッチンユニットの空間内に組み込み収納される食器洗い機本体と、該食器洗い機本体に設けられ、かつ食器を収納する洗浄槽と、該洗浄槽内に備えられ、かつ前記食器が載置される食器棚と、前記洗浄槽の下側に設けられる水溜部と、前記洗浄槽の下側に設けられ、前記洗浄槽内に噴射する回転自在なるノズルアームと、前記ノズルアームの中央部に回転自在に内置されている洗浄ポンプを有する食器洗い機において、
前記ノズルアームの中央部には洗浄ポンプのケーシングを設け、ケーシングの吐き出し口近傍で、かつノズルアーム上面に凸部を設け、該凸部の上を平面部とし、該平面部とケーシングの吐き出し口側を連通する長穴の噴射孔を設けたことを特徴とする食器洗い機。
【請求項８】
請求項７において、
平面部がアームノズル中央部の中心側に向けて傾くように傾斜させ、前記長穴の噴射孔もアームノズル中央部の中心側に向けて傾くように傾斜させ、長穴の噴射孔から吐き出される噴射水がアームノズルのほぼ中央上方に向くようにしたことを特徴とする食器洗い機。
【請求項９】
請求項７において、
前記凸部に隣接するところにノズルアーム中央部の上面とケーシングの吐き出し口を連通するほぼ垂直に噴射する噴射孔を設けたことを特徴とする食器洗い機。
【請求項１０】
請求項９において、
前記ケーシングの吐き出し口をほぼ対称に設け、前記長穴の噴射孔と前記ほぼ垂直に噴射する噴射孔を個々の吐き出し口側に設けたことを特徴とする食器洗い機。
【発明の詳細な説明】
【０００１】
【発明の属する技術分野】
本発明は一般家庭において使用する食器洗い機に関するものである。
【０００２】
【従来の技術】
従来の食器洗い機において、主流となっているノズルアームからの噴射水による反力にて回転するタイプの食器洗い機においては、ノズルアームの回転方向とは反対に噴射孔が設置されている。この噴射水により、ノズルアームの回転力が得られる構成であった。また、ノズルアームの中央部に回転自在に内置されている洗浄ポンプを有する食器洗い機においても、ノズルアームの噴射孔は、食器が載置される食器棚へ洗浄水を噴射するように、ノズルアームの上面に垂直方向、または、斜め上方に向けて噴射孔が配置されている構成であった。
【０００３】
【発明が解決しようとする課題】
しかしながら、従来の構成では、ノズルアームからの噴射水による反力にて回転するタイプの食器洗い機においては、ノズルアームの回転方向とは反対に噴射孔が設置されている。この噴射水により、ノズルアームの回転力が得られる構成であるため、回転方向に水を逆噴射して、かつ、回転方向の推力を得るには、アームノズルを回転させるための噴射孔を前記逆噴射の面積分、余分に設ける必要が有り、ノズルアーム全体としての開口面積が増えて噴射効率が著しく低下する。
【０００４】
また、ノズルアームからの噴射水による反力にて回転するタイプの食器洗い機においては、回転方向に水を逆噴射して、モータの回転数を変化させただけでは、ノズルアームの回転を一時的に停止させることや、ノズルアームを逆回転させたりすることは出来ないため、何らかの機構が必要であり、構成が複雑となり、コストが高く、かつ、信頼性も低下する。
【０００５】
ノズルアームの中央部に回転自在に内置されている洗浄ポンプを有する食器洗い機においても、ノズルアームの噴射孔は、食器が載置される食器棚へ洗浄水を噴射するように、ノズルアームの上面に垂直方向、または、斜め上方に向けて噴射孔が配置されている構成であるため、ノズルアームと洗浄水吸い込みガイドの間に設置されているヒータに直接触れないようにするためのガイドも兼用した仕切り板面に、運転終了後、残菜が残り、においが発生したり、清掃が大変であるという問題があった。また、洗浄性能において、ノズルアームの中央に洗浄ポンプを配置させた構造のものには、アームノズルの中央部に噴射孔を設けることができないため、洗浄槽の中央部に噴射水が当たらないデットスペースが発生し、該中央部の洗浄性能がその周囲と比べ、低下する傾向にあった。
【０００６】
本発明は、上記の問題に対処し、仕切り板面の残菜が良く掃除できる食器洗い機を提供することを目的とする。
【０００７】
【課題を解決するための手段】
本発明は、洗浄槽内に洗浄液あるいはすすぎ液を噴射する回転自在なるノズルアームと、ノズルアームの中央部に回転自在に内置されている洗浄ポンプとを有する食器洗い機において、ノズルアームの回転方向と同じ方向に、洗浄液あるいはすすぎ液を噴射する噴射孔をノズルアームの下面に設けたことを特徴とする。
【０００８】
更に具体的には、ノズルアームの中央部に回転自在に内置されている洗浄ポンプを有する食器洗い機において、ノズルアーム下面にノズルアームの回転方向に洗浄水あるいはすすぎ水を噴射させる噴射孔を設け、さらに、前記噴射孔を、ノズルアーム下面に傾斜を設けた凹部の側面に複数個配置させ、噴射水をある一定角度下方へ傾斜させ噴射させることにより、回転方向に対して、噴射水を逆噴射（回転方向に洗浄水を噴射）させ、洗浄、すすぎ行程時に、ノズルアームと洗浄水吸い込みガイドの間に設置されている仕切り板面に落ちた残菜をノズルアームの回転方向に集め、洗浄槽の前方に設置しているフィルター内に効率よく残菜を集めることが出来る。
【０００９】
また、このとき、洗浄、すすぎ行程時のモータの回転数を変化させ、逆噴射による回転方向に反する力と洗浄ポンプの吐き出し水による回転力とのつり合いを変化させることにより、ノズルアームの回転数を落としたり、また、一時的に停止させること、さらに、ノズルアームを逆回転させたりすることにより、安価な構成でノズルアームの回転数を自在に制御でき、洗浄効率、洗浄性能を向上することが出来る。さらに、アームノズルの中央部、洗浄ポンプの吐き出し部に凸部を設け、該凸部平面部に噴射孔を配置させ、該噴射孔に傾斜を設け、アームノズルの中央部上方向に噴射水を噴射させる構成とすることで、アームノズルの中央洗浄ポンプとした構造のデメリットである洗浄槽中央部への噴射水低下を改善し、安定した洗浄性能を提供することが出来る。
【００１０】
【発明の実施の形態】
以下、本発明を、図１、図２、図３、図４、図５の実施例にて説明する。
【００１１】
本食器洗い機は、食器洗い機を構成する食器を収納する洗浄槽１、食器かご２、水溜部３、ノズルアーム４、ブラシレスモータ５、洗浄ポンプ羽根６、排水ポンプ羽根７、仕切り板３２等有する食器洗い機ユニットを図２に示す如く、それぞれ独立して２個設け、本食器洗い機ユニット２個の本体を重ね、両者を結合することにより、上下２段にて構成されている。
【００１２】
図１に示すように洗浄槽１は、本体ケース９に上下２段に各々独立して備わる。洗浄槽１はスライドレール２４とローラー２５により引出し可能に備えられている。
【００１３】
食器１０は洗浄槽１に備わる食器かご２の上に並べられる。食器１０を洗浄する洗浄用の洗浄液は給水バルブ１２から給水ホース１３を通じて洗浄槽１に供給される。洗浄槽１の底部の直下には回転子１４を磁石（永久磁石）で形成するブラシレスモータ５（電動機）が設けられている。ブラシレスモータ５の回転軸には洗浄槽１側に洗浄ポンプのポンプ羽根６が取付けられる。
【００１４】
ノズルアーム４は上側に洗浄液を噴射する複数の噴射孔１５を有し、中央部には洗浄液吸込用の開口部１６が設けられている。このノズルアーム４は開口部１６内で洗浄ポンプ羽根６に対し適当な間隔を保って洗浄液吸込ガイド１７の上に回転可能に取付支持されている。洗浄液吸込ガイド１７は洗浄槽１の底部に対し一定の間隔を保って伸長し、洗浄槽１の最深部近傍で外周にリング状の洗浄液吸込み用開口部１８を有し、中央部はノズルアーム４の開口部１６に対応した洗浄液吐出用の開口部１８を有する。
【００１５】
すなわち、洗浄槽１の底部側に回転自在に設けられるノズルアーム４と、ノズルアーム４の中央部に設けられる洗浄液吸込用の開口部１６に回転自在に内置されている洗浄ポンプ羽根６と、洗浄ポンプ羽根６を駆動するブラシレスモータ５とを有し、ノズルアーム４、洗浄ポンプ羽根６およびブラシレスモータ５の回転軸心が縦に同心的に、かつブラシレスモータ５の上側にノズルアーム４および洗浄ポンプ羽根６が位置するように配置している。そして、洗浄槽１の底部には洗浄液（洗浄水）が集まる最深部（集水部）を電動機の外側周囲に設け、かつ洗浄槽１の底部は集水部から離れるところを高くなるように傾斜させて形成し、ノズルアーム４と洗浄槽１の底部との間には、洗浄ポンプ羽根６の吸込口側に洗浄水を導く洗浄液吸込ガイド１７（洗浄水吸込ガイド）を設け、かつ洗浄水吸込ガイド１７の外周側を下向きに延在して洗浄液吸込み用開口部１８（洗浄液吸込用開口部）を設け、該洗浄液吸込用開口部１８を集水部に対向するように配置した構成になっている。
【００１６】
洗浄ポンプの運転で洗浄液吸込用開口部１８より吸い込まれた洗浄水は、洗浄水吸込ガイド１７と洗浄槽１の底部との間に形成される流通路を流れて洗浄ポンプに吸い込まれ、洗浄ポンプ羽根６でノズルアーム４に送られた洗浄水は噴射孔１５から洗浄槽１内に噴射される。この噴射する洗浄水で食器１０は洗浄される。
【００１７】
また、洗浄液吸込ガイド１７はねじにより洗浄槽１に固定されている。
【００１８】
ブラシレスモータ５の回転軸には、洗浄ポンプ羽根６の反対側（下端側）に排水ポンプの排水ポンプ羽根７を取付けると共に、排水ポンプ羽根７の周囲にポンプ室２１を構成する。ポンプ室２１は洗浄槽１の水溜部３に短い導水部２２で連通されている。排水ポンプ羽根７は、洗浄ポンプ羽根６がポンプ作用を実現する回転方向と反対に回転したときに、排水ポンプとしての機能を生じるような羽根に構成されている。
【００１９】
排水ポンプの排水ポンプ羽根７が排水ポンプとしての機能を果したときは、洗浄槽１内の洗浄後の洗浄液を排水ホース２３を通じて、食器洗い機の外部に排水する。洗浄時は、ブラシレスモータ２１と洗浄ポンプの洗浄ポンプ羽根６の回転により、洗浄槽１の最深部近傍から洗浄液を吸上げ、洗浄液吸込ガイド１７を通じて、洗浄液吸込ガイド１７の開口部に導く。更に吸上げられた洗浄液は洗浄ポンプ羽根６で加速され、ノズルアーム４の開口部１６から、ノズルアーム４に設けたケーシング２６に沿って更に加速された状態で、噴射孔１５に導かれる。
【００２０】
洗浄液はノズルアーム４の中で加圧されるため、複数の噴射孔１５から高速で噴射される。尚、ノズルアーム４は洗浄液が狭いケーシング２６を通過するときの反作用および複数の小さな噴射孔１５から高速で噴射される時の反作用により、一定の方向に回転する。洗浄液吸込ガイド１７の近傍に、洗浄液の加温と、食器乾燥時のファン２７により送風される空気の加温を兼ねるヒータ２８を設置する。洗浄行程時、すすぎ行程時は、ヒータ２８に通電し洗浄水を温水にする。残菜捕集用フィルター３３は洗浄槽１の底部に設けられ、洗浄後の洗浄水を排水するときに、残菜を捕集する。洗浄水のシール構成は、洗浄槽１の上端全周に中空パッキング２９を設け、更に、洗浄槽１上部にシール板８を設ける。エアーポンプ３０は中空パッキング２９に加圧空気を送り、膨らんだ中空パッキング２９の弾性により洗浄槽１とシール板８を常に当接させ、安定したシールを実現する。ノズルアーム４と洗浄液吸込ガイド１７の間に仕切り板３２を設ける。仕切り板３２は残菜捕集用フィルター３３を１個あるいは複数個備える。
【００２１】
また、食器１０の乾燥行程では、ファンモータ２７に通電し、ファンを回転させ、送風径路３４を介して、洗浄槽１内へ送風される。なお、このとき、ヒータ２８は通電をＯＮ−ＯＦＦして冷風を温風に変えており、この温風により、洗浄槽１内に付着している、水滴、および、残水、さらには、食器かご２や食器１０に付着している水滴を蒸気に変え、排気ダクト、排気口３５を介して、機外に排出される。そして、一定時間乾燥動作が行われたならば、食器洗い機の運転が終了する。
【００２２】
次に、本発明の内容を図１、図３、図４、図５、図６、図７を基に説明する。図３は、本発明の構造を有するノズルアーム４の上面図である。図４は、該ノズルアーム４の下面図を示す。図５は、該ノズルアーム４の側面図を示す。ノズルアーム４は、洗浄、水すすぎ、温水すすぎ時に、図１の食器洗い機の縦断面図におけるブラシレスモータ５の駆動で洗浄ポンプ羽根６を時計方向に回転させることで、洗浄槽１内の水を洗浄液吸込ガイド１７から吸い上げ、ノズルアーム４の内部を介して、洗浄槽１内に食器１０を洗浄する噴射孔１５と仕切り板３２上の残菜を残菜捕集用フィルター３３内に流し込む仕切り板洗浄用の噴射孔５１から洗浄液、あるいはすすぎ水を噴射する。仕切り板洗浄用の噴射孔５１は、仕切り板３２に向けてある角度を付け噴射される。ノズルアーム４は時計周りに回転するその回転方向に仕切り板洗浄用の噴射孔５１からの噴射水がでる。該仕切り板洗浄用の噴射孔５１は、ノズルアーム４下面に配設されている。図４は、ノズルアーム４の下面構造を示す下面図である。仕切り板３２は、洗浄槽の中央に配置され仕切り板押えガイド５２によって固定される。ノズルアーム４は、その上に置かれる状態で回転する。ノズルアーム４下面中央の水流入口６０から入った洗浄液あるいはすすぎ液は、ガイド５０とノズルアーム４内部の内周側面５３の側壁を通り、ノズルアーム４内部を満水にし、ノズルアーム４上面の噴射孔１５あるいはノズルアーム４下面の仕切り板洗浄用の噴射孔５１から噴射されるのである。ノズルアーム４は、ノズルアーム４内部の内周側面６１の部分に洗浄水あるいはすすぎ水が当たり回転する。本発明におけるノズルアーム４の回転数は、一分間に２３〜２７回転である。図６は、本発明の仕切り板洗浄用の噴射孔５１の構造を示す斜視図である。ノズルアーム４下面に凹部７０を設け、そこに傾斜７２つけ、凹部７０の縦方向面に設けた仕切り板洗浄用の噴射孔５１ａ、５１ｂ、５１ｃから噴射される洗浄水あるいはすすぎ水を仕切り板３２に勢いよく当て、残菜を残菜捕集用フィルター内部に導くのである。該仕切り板洗浄用の噴射孔５１ａ、５１ｂ、５１ｃは、ノズルアーム４の左右に複数個配置され、残菜は、ほうきで掃かれるように残菜捕集用フィルター入る。図７は、ノズルアーム４の中央上面に配置された凸部７４噴射孔の構造を示す斜視図である。図に示す如く、ノズルアーム４の中央内部は、洗浄ポンプのケーシング８０になっている。該ケーシング８０の吐き出し口近傍に凸部７４を設け、傾斜を設けた表面に長孔の噴射孔７６を設け、さらに、該長孔噴射孔７６自体にも傾斜とし洗浄水及びすすぎ水を角度をつけて噴射させる構成である。これによって、洗浄ポンプを配設したノズルアーム４の欠点である、中央部に噴射水を上げられない状態をなくする構造としている。また、７８は、丸孔垂直噴射孔であり、中央方向への噴射水の補助孔である。以上の中央噴射構造により、洗浄性能向上を図っている。
【００２３】
更に仕切り板洗浄用の噴射孔５１について説明を加える。
【００２４】
上記噴射孔５１はノズルアームの中心から先端側に向かって並ぶように複数個配設されている。噴射孔５１の配置範囲は、少なくともノズルアームの長さの半分程度を占めている。また仕切り板３２には、多数の網目穴が形成されている。この網目穴を通過して洗浄液やすすぎ液は水溜部３に戻る。網目穴はノズルアームの下方に設けられ、全体としてリング状に形成さえている。網目穴の設けられている範囲は、ノズルアームの長さとほぼ近い。噴射孔５１の配置範囲は、網目穴の設けられている範囲のほぼ半分になる。しかも、噴射孔５１は、網目穴の外周側に対向するように配置される。
【００２５】
このような配置なっているので、網目穴の外周寄り半分が、噴射孔５１から噴出する洗浄液やすすぎ液で掃除されるので、其処にあった残菜は流されて残菜捕集用フィルターに捕集される。
【００２６】
網目穴の内周寄り半分にある残菜は噴射孔５１から噴出する洗浄液やすすぎ液による掃除が行なわれないが、仕切り板３２の冗漫は上面には、始終、洗浄液やすすぎ液の旋回流しており、その流に乗って残菜は外周に移動する。このため、網目穴の内周寄り半分にある残菜が貯まることはないのである。
【００２７】
ノズルアーム（合成樹脂製）の先端下面には、傾斜部を設けている。先の方が上がる傾斜になっている。ノズルアーム上側部材とノズルアーム下側部材の上下合わせ溶着による変形や洗いサイクル時の高温水による変形で先端側が下向きに撓む。この撓み量に見合う傾斜部を設けることで、アームノズルの下に配設した仕切り板にノズルアームの先端下面が接触しないのである。
【００２８】
また仕切り板洗浄用の噴射孔５１は、ノズルアーム４のノズルアーム下側部材に設けたので、ノズルアーム上下側部材の上下合わせ部分に設けるものに比べ、上下合わせ溶着が丈夫になる。また上下合わせ部分の噴射孔が上下でずれてしまする不出来になることもないのである。
【００２９】
上記実施例はシステムキッチンに組み込む形態のものであるが、システムキッチンの上に据える形態の食器洗い機にも、本発明は適用できるものである。
【００３０】
【発明の効果】
以上に述べたように本発明よれば、引き出し式のシステムキッチン食器洗い機において、洗浄槽内の仕切り板上に残菜が残こることなく、残菜捕集用フィルター内に収めることができ、清潔で使い勝手の良い引き出し式のシステムキッチン食器洗い機を提供することが出来る。更に、ノズルアームの中央近傍に凸部からなる中央上方部への噴射孔からの噴射水により、洗浄性能の向上も図れる。
【図面の簡単な説明】
【図１】本発明の実施形態にかかるもので、食器類を洗浄する本体の縦断面図である。
【図２】本発明の実施形態にかかるもので、２段式システムキッチン食器洗い機の斜視図である。
【図３】本発明の実施形態にかかるもので、ノズルアームの上面図である。
【図４】本発明の実施形態にかかるもので、ノズルアーム下面図である。
【図５】本発明の他の実施形態にかかるもので、ノズルアームの側面図である。
【図６】本発明の他の実施形態にかかるもので、ノズルアーム下面の仕切り板洗浄用の噴射孔の構造を示す斜視図である。
【図７】本発明の他の実施形態にかかるもので、ノズルアーム表面中央に配設したノズルアーム中央上部への噴射用噴射孔の構造を示す斜視図である。
【符号の説明】
１…洗浄槽、２…食器かご、３…水溜部、４…ノズルアーム、５…ブラシレスモータ、６…洗浄ポンプ羽根、７…排水ポンプ羽根、９…本体ケース、１０…食器、１２…給水バルブ、１３…給水ホース、１４…回転子、１５…噴射孔、１６…開口部、１７…洗浄液吸込ガイド、１８…洗浄液吸込み用開口部、２１…ポンプ室、２２…導水部、２３…排水ホース、２６…ケーシング、２７…ファンモータ、２８…ヒータ、２９…中空パッキング、３０…エアーポンプ、３２…仕切り板、３３…残菜捕集用フィルター、３４…送風径路、３５…排気口、５０…ガイド、５１…仕切り板洗浄用の噴射孔、５２…仕切り板押えガイド、５３…内周側面、６０…水流入口、６１…内周側面、７０…凹部、７２…傾斜、７４…凸部、７６…長孔の噴射孔、７８…丸孔の垂直な噴射孔、８０…ノズルアーム内ケーシング。
【図１】
2004073261.tif 000003
【図２】
2004073261.tif 000004
【図３】
2004073261.tif 000005
【図４】
2004073261.tif 000006
【図５】
2004073261.tif 000007
【図６】
2004073261.tif 000008
【図７】
2004073261.tif 000009